(57)【特許請求の範囲】
【請求項１】
上半身の正面を被う前身頃（１０）と上半身の背面を被う後身頃（１１）とで形成される身頃本体（４）を有する脇開放型の衣類であって、
身頃本体（４）には前身頃（１０）と後身頃（１１）との間で脇下近傍を通る脇下ライン（１５）とこの脇下ライン（１５）の上部に上凹み円弧として形成される肩越えライン（１６）とにより開口形成された脇グリ部（６）が設けられ、
前記脇下ライン（１５）の前後方向中間位置に対応して前身頃（１０）と後身頃（１１）とを縫着する脇縫い線（１２）が形成されており、
前記身頃本体（４）の内部には前記脇下ライン（１５）を上限としつつ当該脇下ライン（１５）に沿うようにして全体を身頃本体（４）内部に収容させた状態で汗取りパッド（２０）が取り付けられており、
この汗取りパッド（２０）はそのパッド上縁部が前記脇グリ部（６）の開口縁部を縁取るテープ生地（２５）によって重合状に覆われて当該テープ生地（２５）と共に身頃本体（４）に縫着されていると共に、前記脇下ライン（１５）以外の少なくとも前記脇縫い線（１２）上に合致する位置で身頃本体（４）に固着されている
ことを特徴とする脇開放型の衣類。
【請求項２】
前記汗取りパッド（２０）は、パッド上縁部とパッド下端部との上下間を繋ぐ前縁部（２０ａ）及び後縁部（２０ｂ）が裁断時の単生地として形成されていることを特徴とする請求項１記載の脇開放型の衣類。
【請求項３】
前記脇グリ部（６）の脇下ライン（１５）は、下凹み円弧として形成されていることを特徴とする請求項１又は請求項２記載の脇開放型の衣類。
【発明の詳細な説明】
【技術分野】
【０００１】
本発明は、タンクトップやキャミソールなどに代表される衣類（この種の衣類を本明細書では「脇開放型」と言うこととし、脇開放型の詳細な定義は後述する）に関するものである。
【背景技術】
【０００２】
タンクトップやキャミソール、ノースリーブなど、着用時において肩から先を露出させるようにした衣類（インナーウェア及びアウターウェアを含む）では、袖が無いことから、脇下の汗取りパッドを取り付ける場合、どうしても目立ってしまう（例えば、特許文献１等参照）。
脇下の発汗は、躯体（ボディ）側よりも腕側で広範囲となる傾向であることが検証されているが、それ故、汗取りパッドは、可及的に、腕側へ及ぶように配置するのが好適であるとされている。このことが、袖を有さず、且つ脇下の汗取りパッドを取り付けた衣類にあって、汗取りパッドが目立ってしまう根本的な理由となっている。
【０００３】
なお、脇下の汗取りパッドを、半分以上、衣類から外へ突出するような状態で取り付けた衣類が知られている（特許文献２参照）。この衣類は、汗取りパッドを大型化させ且つ立体的に湾曲させることにより、脇下の内面に沿わせ、直接的な接触面積を増加させることを狙ったものと言える。換言すれば、汗取りパッドを取り付けたことに伴う外観性については殆ど無視又は軽視したものと言わざるを得ない。
【先行技術文献】
【特許文献】
【０００４】
【特許文献１】特開２０００−３１４００５号公報
【特許文献２】特開２００８−８８５９８号公報
【発明の概要】
【発明が解決しようとする課題】
【０００５】
前記したように、汗取りパッドは可及的に腕側へ及ぶように配置すべきであり、脇下から遠い配置とすれば、汗を吸収する効率が著しく低いものとなってしまう。しかし、それだからといって汗取りパッドを衣類の外へ突出させて取り付ければ（特許文献１や２等）、汗取りパッド自体がまわりから丸見えになってしまい、非常に見栄えが悪い。
仮に、汗取りパッドを取り付けた衣類がインナーウェアであるとして、その上からアウ
ターウェアとしての衣類を重ねて着用したとしても、アウターウェアが夏季用衣類や室内着などの薄手のものである場合には、汗取りパッドが透けて外から見えてしまう。また、透けないまでも、立体的な形状としてアウターウェアに響いてしまう（結局のところまわりから視認されてしまう）ということがあった。
【０００６】
このようなことから、脇下の汗取りパッドを取り付けてあることがまわりから視認されてしまうような衣類は、殊に若い世代の女性から不人気であり、敬遠されるという問題があった。若い世代では新陳代謝が活発であり、寧ろ、脇下の汗取りパッドを最も必要とする世代とも言えるにも拘わらず、またそれを解消すべく、脇下の汗取りパッドを備えた衣類が提案されているにも拘わらず、この種の汗取りパッド付き衣類が活用されないことは非常に残念な事態である。
【０００７】
なお、脇下の汗取りパッドを衣類から外へ大きく突出させるようにしたもの（特許文献２参照）は、脇下の内面に対する接触面積の増加を狙ったものではあるが、汗取りパッドが腰の弱いニット製であることから、思惑通りには脇下と接触せず、また位置ズレを起こしやすいという欠点があった。要するに、汗取りパッドは大きい割に殆ど汗を吸わず、無駄に長いものであって、外観性を悪化させている以外の何者でもないと言うことができる。
【０００８】
本発明は、上記事情に鑑みてなされたものであって、脇下の汗取りパッドが取り付けられていることが外見からは判らないようにすることで、人目を気にせずに着用でき、また脇下の汗による本人及び周囲の不快感を的確に解消できるものとして、皆が爽快に過ごすことができるようにした脇開放型の衣類を提供することを目的とする。
【課題を解決するための手段】
【０００９】
前記目的を達成するために、本発明は次の手段を講じた。
即ち、本発明に係る脇開放型の衣類は、上半身の正面を被う前身頃と上半身の背面を被う後身頃とで形成される身頃本体を有したものであって、身頃本体には前身頃と後身頃との間で脇下近傍を通る脇下ラインとこの脇下ラインの上部に上凹み円弧として形成される肩越えラインとにより開口形成された脇グリ部が設けられ、前記脇下ラインの前後方向中間位置に対応して前身頃と後身頃とを縫着する脇縫い線が形成されており、前記身頃本体の内部には前記脇下ラインを上限としつつ当該脇下ラインに沿うようにして全体を身頃本体内部に収容させた状態で汗取りパッドが取り付けられており、この汗取りパッドはそのパッド上縁部が前記脇グリ部の開口縁部を縁取るテープ生地によって重合状に覆われて当該テープ生地と共に身頃本体に縫着されている。
【００１０】
このように本発明では、脇下の近傍を通るように設けた脇下ラインに対応させて汗取りパッドを設けており、この汗取りパッドが、発汗分布的に広範囲傾向となる腕側に近接させた配置となっているから、効率のよい汗の吸着が可能となっている。
しかも、この汗取りパッドは、その全体を身頃本体の内部へ収容させ、且つそのパッド上縁部とそれ以外の少なくとも一点とを介して身頃本体に固着させてあるため、身頃本体（衣類）の外へ突出（露出）することは一切なく、汗取りパッドが外から視認されることが原因となって見栄えが悪化するといったことはない。このことは、本発明に係る脇開放型の衣類を着用しているときだけでなく、洗濯後に干しているときや、商品としての販売時などにも、汗取りパッドの存在を目立たなくできる点で優れた効果を発揮するものである。
【００１１】
更に、前記のように汗取りパッドは、その上縁部が脇グリ部の開口縁部を縁取るテープ生地によって重合状に覆われて、このテープ生地と共に身頃本体に縫着するものとしてあるため、汗取りパッドのパッド上縁部をしっかりと身頃本体に固着できるものであり、しかも汗取りパッドを可及的に脇下へ近接させることができるようになる。また、汗取りパッドのパッド上縁部を固着していることが外からは全く判らない。のみならず、テープ生地によって肌触り感を良質なものとでき、着用者に違和感を与えないなどの種々の利点を招来するものとなる。
【００１２】
なお、本発明が対象とする「脇開放型」の衣類とは、タンクトップやキャミソール、ノースリーブなど、着用時に肩が露出するタイプの衣類をその代表例とする。またそれ以外
にも、いわゆる半袖と呼ばれるもののうち、着用時に上腕を上げたとき等に脇が見えるようなタイプの衣類は含むこととする。
従って例えば、半袖タイプの衣類の場合では、脇下位置から上にしか袖が無いような袖丈の短いものをも含むものとする。
【００１３】
ここにおいてインナーウェアであるかアウターウェアであるかについても、何ら問わない（いずれでもよい）ものとする。
また、脇下ラインの配置において「脇下近傍」とは、効果上の程度問題であって数値的な限定はできないものの、具体的な一例を挙げるとすれば、腕を真下へ降ろして躯体の横に沿わした姿勢をとるときには脇（躯体と腕との境）に接するほど近い配置となり、且つその腕を真横へ広げてほぼ水平にしたときでも脇（躯体と腕との境）から離れすぎずに、前後方向に横切るような配置を言う。
【００１４】
脇グリ部の脇下ラインは、下凹み円弧のカーブを描いたものとすることができる。但しこれに限定されるものではなく、前傾又は後傾の傾斜した直線を描いたものとすることも、或いは水平な直線を描いたものとすることも可能である。
更に、汗取りパッドを、パッド上縁部などについて身頃本体に固着する方法としては、縫着をはじめ、身頃本体や汗取りパッドに含有又は別添させる樹脂の熱自着性を利用する方法、或いは接着剤を利用する方法など、特に限定されるものではない。但し、日常的な使用状況下において頻繁に着脱できるようにするための取付方法は、含まないものとする。
【００１５】
汗取りパッドにおいて、前記脇下ライン以外の身頃本体への固着位置は脇縫い線上に合致させているので、脇下ライン以外に固着している部分が外からは判別しにくくなるか、又は全く判らない状態となる。
なお、この固着位置は、汗取りパッドのめくれや皺などを可及的に防止するという理由からはパッド下端部とすることが好適ではあるが、これに限らず、汗取りパッドにおける上下方向のいずれの箇所でもよい。場合によっては、固着位置を複数箇所にしたり、脇縫い線に沿った線状の範囲にしたりすることもできる。
【００１６】
汗取りパッドは、パッド上縁部とパッド下端部との上下間を繋ぐ前縁部及び後縁部が裁断時の単生地として形成されているものとするのが好適である。
このようにすることで、着用感（ゴワツキや肌触りなど）として、汗取りパッドの厚み感を和らげ、又は汗取りパッドの存在自体を感じさせないものであり、脇開放型の衣類としての着心地が一層良好となる。
【発明の効果】
【００１７】
本発明に係る脇開放型の衣類であると、脇下の汗取りパッドが取り付けられていることが外見からは判らないようになり、人目を気にせずに着用できるものであり、その結果、脇下の汗による本人及び周囲の不快感を的確に解消でき、皆が爽快に過ごすことができるようになる。
【図面の簡単な説明】
【００１８】
【図１】本発明に係る脇開放型の衣類の第１実施形態を示した斜視図である。
【図２】本発明に係る脇開放型の衣類の第１実施形態を示した正面図である。
【図３】本発明に係る脇開放型の衣類の第１実施形態において脇下ラインの配置を説明した正面図である。
【図４】図１のＡ−Ａ線矢視図（身頃本体を内側から見た状態の図）である。
【図５】汗取りパッドの取り付け状況を説明した分解図である。
【発明を実施するための形態】
【００１９】
以下、本発明の実施の形態を、図面に基づき説明する。
図１乃至図５は、本発明に係る脇開放型の衣類１の第１実施形態を示している。なお、図例ではインナーウェアのタンクトップに適用した場合としてある。
この脇開放型の衣類１は、上部に着用者の頭部を通す襟グリ部２が設けられ、下部に着用者の躯体（腹部）を通す裾部３が設けられて、略筒状に形成された身頃本体４を主体とするものである。この身頃本体４に袖部は設けられておらず、襟グリ部２の左右両側には
、肩掛け部５を介して開口状態の脇グリ部（アームホール）６が設けられている。身頃本体４には袖部が無いので、着用時には脇グリ部６を通して肩から先が露出される（図３参照）ことになる。
【００２０】
身頃本体４において、筒形状を形成するうち上半身の正面を被う部位が前身頃１０とされ、上半身の背面を被う部位が後身頃１１とされている。本第１実施形態の身頃本体４では、脇グリ部６の略中央（後述する脇下ライン１５の前後方向中間位置）に対応して設けられる縦方向の脇縫い線１２を境として、これら前身頃１０と後身頃１１とが縫着されたものとしてある。
【００２１】
この脇縫い線１２は、図４に示すように、身頃本体４の内側に細幅の縫い合わせ生地端１３を形成させるようになっている。
脇グリ部６は、前身頃１０と後身頃１１との間で、着用者の脇下近傍を通るようにして下凹み円弧に形成された脇下ライン１５と、この脇下ライン１５の上部で上凹み円弧を形成させるように形成された肩越えライン１６とにより形成された開口であると言うことができる。
【００２２】
脇下ライン１５は、図３に示すように、着用者が腕を真下へ降ろして躯体の横に付けた姿勢をとるときには、脇（躯体と腕との境）に接するほど近い配置となり、且つその腕を真横へ広げてほぼ水平にしたときでも脇（躯体と腕との境）から離れすぎずに、前後方向に横切るような配置で設けられている。このような配置は、従来のこの種、脇開放型の衣類（タンクトップやキャミソール、ノースリーブ、及び一部の半袖など）に比して、より脇下へ接近した配置（上方寄りの配置）である、と言うことができる。
【００２３】
そして身頃本体４の内部には、上記した脇下ライン１５を上限として、全体を身頃本体４内部に収容させた状態で汗取りパッド２０が取り付けられている。この汗取りパッド２０の形成素材は特に限定されるものではない。
例えば厚さ的にボリュウムが増えたとしても吸湿性に優れている素材を選択するとか、又は色あい、厚さ、肌触り感、製作工数やコスト等々を重要視して、身頃本体４と同じ生地を選択するとか、種々様々な対応ができる。もとより、身頃本体４の形成素材は天然素材や合繊素材を問わず、形成組織としても編組織であるか織組織であるかなどを問うものではない。
【００２４】
本第１実施形態では、身頃本体４と同じ生地を使用して汗取りパッド２０を形成している。ただ、同じ生地とはいっても全く同一ではなく、熱融着糸を一緒に編みこみヒートセット加工を施した生地を採用してある。このような生地を選択することで、この汗取りパッド２０は所定形状への裁断のみ（切りっぱなし）によって形成することができる。即ち、裁断後にフチ縫い等の端部処理をしなくても、ほつれが生じることはない。
【００２５】
このように裁断のみによって得られた汗取りパッド２０は、パッド上縁部とパッド下端部との上下間を繋ぐ前縁部２０ａ及び後縁部２０ｂが、裁断時の単生地（一重の生地）として形成されることになるので、これら前縁部２０ａ及び後縁部２０ｂが薄く仕上がり、着用感（ゴワツキや肌触りなど）としての厚み感を和らげ、又は感じなくさせることができる。また外観的にも、身頃本体４の外側から汗取りパッド２０の輪郭が判りにくくなるか又は実質的に判らないという利点が得られる。
【００２６】
この汗取りパッド２０は、そのパッド上縁部が脇下ライン１５（下凹みの円弧）に沿うようにして身頃本体４に固着されていると共に、また脇下ライン１５以外の少なくとも一点で、脇縫い線１２上（縫い合わせ生地端１３）に合致されて固着されている。図４中の矢符Ｘで示すように、本第１実施形態では、脇下ライン１５以外の固着位置をパッド下端部としている。これらの固着は、例えば縫着によって行われる。
【００２７】
これらのことから、汗取りパッド２０は身頃本体４に対してほぼ固定の状態にあり、この脇開放型の衣類１の着用中はもとより、洗濯中や洗濯後に干すときなど、汗取りパッド２０が身頃本体４から外へ出るようなことは一切ない。
汗取りパッド２０の形状は、図４に示すように、前縁部２０ａ及び後縁部２０ｂが緩やかな外膨れカーブを描き、下端部が丸底を描くような舌片状とされている。そして、身頃本体４への固定状態として（脇縫い線１２を境として）、前身頃１０（図４右側）の方が
大きく後身頃１１（図４左側）の方が小さくなるように形成されている。このような形状と配置とにより、脇下における発汗量の分布（分泌量の多い少ないの分布であって面積的な発汗分布とは異なる）に対応させてある。
【００２８】
身頃本体４の脇グリ部６では、その開口縁部（汗取りパッド２０を取り付けた状態としてそのパッド上縁部が重合する部分をも含めた全周）を縁取る状態で、テープ生地２５が縫着されている。このテープ生地２５で汗取りパッド２０の上縁部（即ち、身頃本体４に対して固着している部分）が覆われることになるので、脇グリ部６の肌触り感は良質なものとなり、着用者は違和感を感じないものとなる。
【００２９】
以上、詳説したところから明らかなように、本発明に係る脇開放型の衣類１では、脇下の近傍を通るように設けた脇下ライン１５に対応させて汗取りパッド２０を設けており、この汗取りパッド２０が、発汗分布的に広範囲傾向となる腕側に近接させた配置となっているから、効率のよい汗の吸着が可能となっている。
また汗取りパッド２０は、その全体を身頃本体４の内部へ収容させ、且つそのパッド上縁部とそれ以外の少なくとも一点（パッド下端部など）とを介して身頃本体４に固着させてあるため、身頃本体４（衣類）の外へ突出（露出）することは一切なく、汗取りパッド２０が外から視認されることが原因となって見栄えが悪化するといったことはない。
【００３０】
これらのことから、本発明に係る脇開放型の衣類１は人目を気にせずに着用できるものであり、若い世代にも抵抗無く着用してもらえるものとなり、その結果、脇下の汗による本人及び周囲の不快感を的確に解消でき、皆が爽快に過ごすことができるようになる。
ところで、身頃本体４に対し、左右の脇下ライン１５に対する汗取りパッド２０の取り付け位置が所定位置からずれていたり、或いは左右対称配置になっていなかったりすると、脇開放型の衣類１としての見栄えが悪いだけでなく、汗取りパッド２０が本来の作用を十分に発揮しなくなるおそれも生じる。
【００３１】
しかしながら、身頃本体４に対して左右の汗取りパッド２０を正確に所定位置へ配置し（左右対称にすることも含む）、その状態を保持したまま取り付ける作業は、たとえ熟練技術を有する作業者と雖も、面倒であるばかりでなく非常に困難である。
そこで図５に示すように、身頃本体４に対し、予め、脇下ライン１５に対して汗取りパッド２０の前端位置又は後端位置、或いはこれら前後両方の位置に対し、ノッチ（切欠）や焦げ目、筆記具類によるマークなどによる目印３０を付けておくとよい。
【００３２】
この目印３０は、身頃本体４（前身頃１０や後身頃１１）を型抜きして形成する場合には、その成形型に、ノッチ形成部、焦げ目付け用ヒータ、或いはマーク付記用筆記具などを取り付けておくことで、余分な工程や手数をかけずとも、身頃本体４の形成と同時に付与できるものとなる。
このような目印３０を設けておくことで、身頃本体４に対して左右の汗取りパッド２０を正確に所定位置へ配置し、取り付けることが容易且つ確実に行えるようになる。また高能率で行えるものとなる。従って、脇開放型の衣類１としての見栄えが良好となり、製品バラツキもなく、高品質を維持できるものとなる。また左右の汗取りパッド２０がいずれも、本来の作用を発揮して十分な汗取りが行われることになる。
［その他］
本発明は、上記実施形態に限定されるものではなく、実施の形態に応じて適宜変更可能である。
【００３３】
例えば、身頃本体４は、筒形状としてシームレスとされたもの（丸編機によって編成されることで前身頃１０と後身頃１１とが一体となっているもの）としてもよい。また、前身頃１０（場合によっては後身頃１１）が開閉できる形体としてもよい。
汗取りパッド２０の形状や前後方向の配置については、前記したものに限定されるものではない。
【００３４】
汗取りパッド２０において、脇下ライン１５以外で身頃本体４に固着する部分としては、脇縫い線１２の線上以外としてもよい。例えば、汗取りパッド２０の前縁部２０ａや後縁部２０ｂのなかの少なくとも一点（線状の範囲を含む）としたり、パッド内の適所としたりすることも可能である。
本発明の脇開放型の衣類１は女性用として限定されるものではなく、男性用として実施することも勿論可能である。また、前記したようにインナーウェアであるかアウターウェアであるかも限定されるものではなく、その他、ランシャツなどのスポーツウエアや、ネグリジェ、パーティードレスなど、種々の用途への応用も可能である。
【符号の説明】
【００３５】
１  脇開放型の衣類
４  身頃本体
６  脇グリ部
１０  前身頃
１１  後身頃
１２  脇縫い線
１５  脇下ライン
２０  汗取りパッド
２０ａ  前縁部
２０ｂ  後縁部
２５  テープ生地
【図１】
0005575446.tif 000002
【図２】
0005575446.tif 000003
【図３】
0005575446.tif 000004
【図４】
0005575446.tif 000005
【図５】
0005575446.tif 000006